(57)【要約】内容量の終了を示す機構を備えている注入デバイス。内容量の終了を示す機構は、ハウジング並びに投与量設定部材にそれぞれ直接的又は間接的に結合しているトラック及びトラックフォロワを備えている。投与量を設定する際には、ハウジング及び投与量設定部材は互いに相対回転し、これにより、トラックフォロワがトラックにおいて、設定された投与量の大きさに相当する距離だけ回転する。この相対回転は合計され、トラック上でのトラックフォロワの位置で保存される。この機構を含むハウジングには、好ましくは透明の領域が設けられており、この透明の領域を通して使用者は、トラック上でのトラックフォロワの位置を点検することができ、ひいては、注入デバイス内の薬剤リザーバが空になろうという時に視覚的な警告を得ることができる。
2008541907.tif 000002
【特許請求の範囲】
【請求項１】
リザーバ（２）から液体の薬剤の設定された投与量を配量するための注入デバイス（１）であって、
−  前記リザーバ（２）を支持するハウジング（７０）と、
−  投与量を設定するために、前記ハウジング（７０）に対して相対回転する投与量設定部材（２０）と、
−  前記ハウジング（７０）又は前記投与量設定部材（２０）の一方に連結しているトラック（７２）であって、前記リザーバ内の液体の初期量に対応する長さを規定する端部壁（７４）を有するトラック（７２）と、
−  前記ハウジング（７０）又は前記投与量設定部材（２０）のもう一方に連結しているトラックフォロワ（９０）であって、前記トラック（７２）に係合しているトラックフォロワ（９０）を備えており、
前記トラック（７２）および前記トラックフォロワ（９０）が、投与量を設定する際には互いに相対回転し、設定された投与量を注入する際には相対回転不能に保持され、前記トラックフォロワ（９０）が、投与量を設定する際に前記トラック（７２）に沿って移動し、トラック（７２）での、設定された量の合計を表す位置を有し、
前記設定された投与量の合計が前記リザーバ（２）内の液体の初期量に等しくなった時、前記トラックフォロワ（９０）が前記トラック（７２）の端部壁（７４）に係合し、これにより使用者が、前記リザーバ（２）内に残っている内容量より大きな投与量を設定することを防止する注入デバイスにおいて、
前記ハウジング（７０）に透明な領域（７１）が設けられており、該領域で前記トラックフォロワ（９０）を目で確認できることを特徴とする注入デバイス。
【請求項２】
前記トラックフォロワ（９０）の見え方が、前記リザーバ内に残っている内容量に応じて変化することを特徴とする、請求項１に記載の注入デバイス。
【請求項３】
前記投与量設定部材（２０）が、投与量を設定する際に、前記ハウジング（７０）内の固定されたストッパから離れる方向に回転し、設定された前記投与量を注入する際に、前記固定されたストッパへと回転して戻ることを特徴とする、請求項１又は２に記載の注入デバイス。
【請求項４】
前記トラック（７２）が、前記トラック（７２）が設けられている作動部材（５０）を介して、前記ハウジング（７０）又は前記投与量設定部材（２０）に連結していることを特徴とする、請求項３に記載の注入デバイス。
【請求項５】
前記領域（７１）が、前記トラック（７２）の端部壁（７４）の極めて近くに位置していることを特徴とする、請求項１〜４のいずれか１項に記載の注入デバイス。
【請求項６】
前記領域（７１）が、前記トラック（７２）の一部分に延びていることを特徴とする、請求項１〜４のいずれか１項に記載の注入デバイス。
【請求項７】
前記投与量設定部材（２０）に、追加的な領域が設けられていることを特徴とする、請求項１〜４のいずれか１項に記載の注入デバイス。
【請求項８】
投与量を設定する際に、前記投与量設定部材（２０）が軸線方向に移動することなく、前記ハウジング（７０）に対して相対回転することを特徴とする、請求項１に記載の注入デバイス。
【請求項９】
前記トラック（７２）が、前記ハウジング（７０）の内部表面に設けられていることを特徴とする、請求項８に記載の注入デバイス。
【発明の詳細な説明】
【発明の開示】
【０００１】
技術分野
本発明は、例えば注入ペンのような人間の体に薬剤を供給するための装置に関し、好ましくは、内容量の終了を示す機構を備えているこのような注入デバイスに関する。
【０００２】
背景技術
本発明の開示では、主に、インシュリンの注入による糖尿病の治療について言及する。しかしそれは、本発明の一使用例にすぎない。
【０００３】
注入ペンは、主に、注入を自ら頻繁に行う必要のある、例えば糖尿病に罹患している使用者のために製作されている。このような注入ペンに対しては多くの要望がある。投与量の設定が、簡単且つ明確でなくてはならず、また、設定された投与量も簡単に読めなくてはならない。誤って設定された投与量の取止め又は変更は最小限の手間でできなくてはならず、投与量を注入したら、投与量設定はゼロに戻らなくてはならない。予め充填された注入ペン、すなわちリザーバが空になると処分される注入ペンの場合には、注入ペンがさらに安価で、リサイクルに適した材料で作られているべきである。
【０００４】
投与量設定装置は、ナットと協働するねじ切りされたピストンロッドによって動作するものが多く、その場合、ナットとピストンロッドとは、互いに相対回転することができる。投与量の設定は、ストッパから離れるようにナットをねじ回すことによって行われる。注入の際には、ナット部材がストッパに当接するまでピストンロッドを前進させるように押すことによって、ナットがストッパへと戻される。他の投与量設定装置では、構成要素、つまりナット又はピストンロッドの一方は回転不能に保持されており、もう一方は、設定された投与量に依存する設定された角度だけ回転させることができ、これによりピストンロッドは、ナット部材を通って所定距離だけ前進するようにねじ回される。
【０００５】
米国特許第５４８０３８７号明細書は、ピストンロッドがカートリッジ内でプランジャを前進させて、これにより、カートリッジの内容物が放出される注入デバイスを開示している。ピストンロッドが完全に引き出され、プランジャがカートリッジの遠位端部に到達してしまうと、カートリッジは空であって、それ以上の薬剤を放出することはできない。このことを使用者に視覚的に示すためには、ピストンロッドを色でマークし、カートリッジが空になるとこの色が窓から見えるようにすることができる。しかし、これは、カートリッジが空であることを示す表示にすぎず、これ自体は、使用者が投与量の設定を行おうとすることを防止するものではない。またこれは、使用者がカートリッジ内に残っている量より大きな投与量を設定するのを防止するものではないので、特に、使用者が設定した投与量が完全に放出されると信じて自己投薬を行ってしまった場合に、潜在的な危険な状況を招く可能性がある。
【０００６】
使用者がカートリッジが空になっていることに気付かない場合、そのような注入デバイスを使用する際に、使用者がリザーバ内に残っている内容量より大きな投与量を設定することができないようにすることが重要である。
【０００７】
従来技術による供給装置は、欧州特許第３２７９１０号明細書に開示されている。この装置は、ナット部材をねじ回して、ねじ山の付けられたピストンロッドに沿ってハウジング内のストッパから離れる方向にナット部材を上昇させることによって、投与量を設定する注射器を備えている。設定された投与量は、注入ボタンを形成するナット部材の端部を軸線方向に再びストッパと当接するように押し戻すことによって注入される。この移動の際、ピストンロッドはナットによって押し動かされるが、ナットは注入の際、ピストンロッドに対して相対運動しない。ピストンロッドのねじ山が、カートリッジの長さ及び内容量に対応する長さを有しているので、カートリッジは、ナットがねじ山の端部にまでねじ回された時にちょうど空となる。これによって、設定されるべき投与量の大きさは、常にカートリッジ内の残量に制限されるようになる。
【０００８】
別の注入デバイスが、米国特許第６５８２４０４号明細書に開示されている。この解決手段によれば、空にすべきリザーバ内の液体量に相当する長さのねじ山を有する作動部材が、投与量設定部材によって囲まれている。作動部材及びこの作動部材のねじ山は、ハウジングに連結している。この作動部材と投与量設定部材との間は、ナット部材が仲立ちしている。ナット部材は、作動部材のねじ山に係合しており且つ投与量設定部材に軸線方向に連結している。投与量を設定するためには、投与量設定エレメントを、作動部材に対して相対的に、注入デバイスのハウジングの外へと回転させる。この回転の際には、投与量設定部材に連結しているナット部材はねじ回されて、設定された投与量に相当する距離だけ、ハウジングに連結しているねじ山を上昇する。設定された投与量を注入する時には、投与量設定部材及び作動部材を回転させてハウジング内へと戻し、この時、ナット部材は、作動部材上の相対位置に留まっている、つまり、ナット部材は作動部材のねじ山に対して相対回転不能に保持されている。よって、ねじ山でのナット部材の位置は常に、設定された投与量の合計に相当し、設定された投与量の合計がリザーバの初期含有量に等しくなった時、ナット部材はトラックの端部と係合し、注入デバイスをロックする。
【０００９】
同様の解決手段が、国際公開第２００４／０７８２３９号パンフレットに開示されている。この注入ペンは、ねじ切られたピストンロッドを備えており、このピストンロッドは、回転させると、内ねじが切られたナット内でねじ回されて前進する。ピストンロッドのねじ山と嵌合するねじ山を有する作動スリーブは、軸線方向に前進する際、ピストンロッドを回転させる。作動スリーブは、投与量ダイヤルスリーブに連結しており、この投与量ダイヤルスリーブは、ハウジングに対して相対回転して、これにより、投与量を増加させる。投与量ダイヤルスリーブは、投与量を設定するためにはハウジングから外へと回転し、設定された投与量を放出するためには元に戻るように回転する。作動スリーブは、投与量を設定する際には投与量ダイヤルスリーブと共に回転するが、設定された投与量を放出する際には回転が防止されている。作動スリーブのこの非回転運動によって、ピストンロッドが回転せしめられ、内ねじ山においてねじ回されて前進する。投与量ダイヤルスリーブに連結された作動スリーブには、カートリッジ内の液体量に相当するねじ山が設けられている。このねじ山と係合するナットは、ハウジングに軸線方向に連結しており、この場合、ナットは、投与量を設定する際には、ねじ回されて作動部材のねじ山を上昇するが、設定された投与量を注入する際には、その相対位置で回転不能に保持される。よって、ナットの位置は常に、設定された投与量の合計に相当するので、設定された投与量の合計がカートリッジの初期内容量に等しくなった時、ナットがトラックの端部に係合し、注入デバイスをロックする。
【００１０】
上記のような全ての、いわゆる内容量の終了を示す機構は、設定された投与量の合計がリザーバ内の初期の液体量に等しくなった時に、注入デバイスの投与量設定機構をロックするという目的を達成するものである。よってこのようなデバイスの使用者が、リザーバ内に残った液体量より大きな投与量を設定できないようになっている。
【００１１】
発明の概要
上述の従来技術による装置を考慮し、本発明の課題は、内容量の終了を示す機構を有する薬剤供給装置であって、リザーバ内の残量よりも大きな投与量の設定を防止することに加え、使用者に、内容量が終了に達したことを表示する視覚的表示も提供する装置を提供することである。
【００１２】
請求項１
ハウジングと、このハウジングに対して相対回転して投与量を設定する投与量設定部材とを備えている注入デバイスにおいて、らせん状のねじ山等のトラックが、ハウジング又は投与量設定部材のどちらかに連結可能であり、ナット部材等のトラックフォロワが、前記２つの部材のもう一方と連結可能である。
【００１３】
投与量を設定する際には、トラック及びトラックフォロワは互いに相対回転し、これによりトラックフォロワが、トラックに沿って、設定された投与量に相当する距離だけねじ回される。
この連結は直接的である必要はないが、投与量を設定する際にトラックフォロワがトラックに対して相対回転するのであれば、別のエレメント群を介して行ってもよい。
【００１４】
投与量を注入する際には、トラック及びトラックフォロワは、これらを同時に移動させるか又は全く動かさないようにすることによって、相対回転不能に保持される。
トラックフォロワがねじ山におけるその相対位置で保持されるので、トラックフォロワの位置は常に、設定された投与量の合計を表すようになる。
トラックフォロワは、リザーバ内の初期の液体量に相当するトラックの長さを有することによって、設定された投与量の合計がリザーバ内の初期の液体量に達した時に、トラックの端部壁に当接するようになっている。
【００１５】
注入デバイスは通常、投与量設定機構を有し、投与量を注入する前に使用者が投与量を回すことにより増加又は減少させることができるようになっているので、トラックフォロワの位置は、投与量を注入する際の位置となり、よって、この位置は、注入された投与量を示す。
【００１６】
トラックフォロワが見える透明領域を有するハウジングを設けることによって、使用者が、トラックにおけるトラックフォロワの位置を点検し、これにより、設定された投与量の合計を視覚的に認識することができるようになる。
この領域は、例えばハウジングに設けられた開口部又は透明領域であってよく、この領域を通して、使用者がトラックフォロワを見ることができるか又は少なくともトラックフォロワに設けられたカラー表示を見ることができる。
【００１７】
請求項２
トラックフォロワには、例えば、カラー又は同様の表示が設けられていてよく、この場合使用者は、前記ハウジングに設けられている領域を通して視覚的な表示を得ることができる。このカラー表示は、様々な色又は様々な強さで形成されていてよく、この場合、使用者に提供される視覚的な印象が、トラックフォロワのトラックでの位置及びハウジングにおける領域の位置に応じて変化するようになっている。
カラー表示の代わりに、他の表示手段、例えば数字、文字又は簡単な記号を使用することもできる。
【００１８】
請求項３
米国特許６５８２４０４号明細書及び国際公開第２００４／０７８２３９号パンフレットに開示の内容量の終了を示す機構では、投与量設定部材は、投与量を設定する際には、ハウジング内における固定されたストッパから離れるように回転せしめられ、投与量を注入する際には、固定されたストッパへと戻される。
【００１９】
参照により本願に組み込まれ、有利には、米国特許第６００４２９７号明細書の図１５〜１７に開示されている注入デバイス内に組み込むことができる米国特許第６５８２４０４号明細書では、投与量を注入する際、投与量設定部材は回転せしめられ初期の位置へと戻される。
【００２０】
参照により本願に組み込まれる国際公開第２００４／０７８２３９号パンフレットでも、投与量を注入する際、投与量設定部材が回転せしめられ後退するが、トラックを押し動かし且つ投与量設定部材に連結されている作動部材は、軸線方向にその初期位置へ戻される。
【００２１】
請求項４及び５
トラックが投与量設定部材に、例えば国際公開第２００４／０７８２３９号パンフレットに記載されているような作動部材を介して連結されている場合には、投与量設定部材がその初期位置へと戻された時、前記領域は、トラックの端部の位置に位置していることが望ましい。
【００２２】
請求項６
使用者がそれを通してトラックフォロワを点検することができる透明の領域は、例えばピストンロッドに平行な方向に、ねじ山の一部分に延びていることが可能であり、この場合には、トラックフォロワの長手方向の移動を、トラックの端部に到達するまで、より長い時間に亘って目で確認することができる。
前記透明の領域には、残っている内容量を使用者に知らせる目盛が設けられていてもよい。この目盛は、数字を使用した従来の目盛であってもよいし、他の記号又は異なる色を使用した目盛であってもよい。
【００２３】
請求項７
例えば、作動部材がピストンロッドガイドを介してハウジングに連結されている米国特許第６５８２４０４号明細書に記載のように、ねじ山がハウジングに連結されている場合、投与量設定部材に開口部のような追加的な透明の領域を設ける必要がある場合もあり、これにより、使用者がトラックフォロワを視覚的に点検することができるようになる。
【００２４】
請求項８及び９
投与量設定部材の軸線方向の移動がなく、トラックが、好ましくはハウジングの内部に設けられている場合には、前記領域は、トラックの端部に設けられていることが望ましく、その場合、設定された投与量の合計がリザーバ内の初期の液体量に達し始める時に、トラックフォロワが見えるようになっている。
【００２５】
定義
「注入ペン」は通常、機械的な、つまり使用者によって駆動される注入装置を意味し、筆記用のペンにやや類似の縦長の又は細長い形状を有する。このようなペンは、通常管状の断面を有しているが、この装置は、単に三角形、長方形又は正方形といった異なる断面を有していてもよい。
【００２６】
本明細書で使用される限りでは、「薬剤」という語は、液体、溶液、ゲル又は微細な懸濁液のような、中空の針等の供給手段内を制御下で通過することができる薬剤を含有する流動性の医薬品を包含することを意味する。代表的な薬剤には、ペプチド、たんぱく質（例えば、インスリン、インスリンアナログ及びＣ−ペプチド）、ホルモン、生物学的に誘導された又は活性物質、ホルモン及び遺伝子ベースの薬剤、栄養補助食品、並びに固体（懸濁された）又は液体状態の別の物質等の医薬製剤を含む。
【００２７】
さらに、「皮下」注入という語は、対象に経皮的に供給する任意の方法を包含することを意図している。
【００２８】
さらに、「注射針」は、液体を供給する又は取り出すことを目的として、対象の皮膚を貫通する貫通部材を定義する。
【００２９】
本明細書に引用された出願公開、特許出願及び特許を含むすべての参考文献は、あたかも各参考文献が個別に且つ具体的に表示されたのと同程度に、参照によりその内容全体が本明細書に組み込まれている。
すべての見出し及び副見出しは本明細書に便宜上使用されているに過ぎず、決して本発明を制限するものでない。
【００３０】
本明細書に記載した、全ての実施例又は例示的表現（例えば、「等の」）は、単に本発明を分かり易くするために使用しているのであって、特に断らない限り、本発明の範囲を制限するものではない。本明細書内のいかなる用語も、本発明の実施に欠かせない、請求項に記載されていない要素と解釈すべきではない。本明細書における特許文献の引用及び組み込みは、便宜上行っているに過ぎず、そのような特許文献の有効性、特許性及び／又は権利の施行可能性に対するいかなる見解をも反映するものではない。
本発明は、適用法の許す範囲において、特許請求の範囲に記載されている主題の修正物及び均等物を含む。
【００３１】
発明の詳細な説明
本発明を、好ましい態様と関連させ図面を参照しながら、以下においてより詳細に説明する。
図面は、概略的であり且つ明確化のために簡略されており、本発明を理解する上で重要な細部のみを示し、それ以外の細部は省略している。全図面を通して、同一又は対応する部材に対しては同じ参照番号を使用している。
【００３２】
以下、「上」及び「下」、「右」及び「左」、「水平」及び「垂直」、「時計回り」及び「反時計回り」といった語又はこれらに類する相対関係を表す表現を使用する場合には、これらの語や表現は、添付図面においてのみ用いられるものであって、実際の使用状況において用いられるものではない。図示の図面は概略的に表されたものであり、それは、様々な構造の構成並びに相対寸法が、例示という目的のみを果たすことを意図しているからである。
【００３３】
これらを考慮すると、添付図面における「遠位端部」という語は、注射針が設けられている注入デバイスの端部を指し、一方「近位端部」という語は、注射針から離れる方を向く反対側の端部を指している。
【００３４】
図１に、注入デバイス１、好ましくは皮下注入のための注入ペンの投与量設定及び注入機構の断面図を示す。注入デバイス１は、注入デバイス１の中心軸線を中心として回転するようになっている投与量設定部材２０を備えている。注入デバイス１は更に、円筒状投与量表示部３０、ねじ切りピストンロッド４０、中心軸線に沿ってピストンロッド４０を動かすようになっている作動部材５０、中心軸線に沿って且つこれと同軸に延びるコイルばね６０、並びにハウジング７０を備えている。
【００３５】
投与量設定部材２０は、キー溝２２に対するキー３２の結合によって、円筒状投与量表示部３０に係合している。投与量設定部材２０の中心軸線を中心とした回転が円筒状投与量表示部３０の中心軸線を中心とした回転を生じさせること及びその逆が、このキー３２／キー溝２２結合によって保証される。さらに、このキー３２／キー溝２２結合によって、投与量設定部材２０及び円筒状投与量表示部３０が、中心軸線にほぼ平行な方向で互いに相対摺動できるように可動であることが保証される。
【００３６】
同様に作動部材５０は、作動部材５０のねじ切り部分５３によってピストンロッド４０の外ねじ部分４１に係合している。
円筒状投与量表示部３０にはねじ切り部分３１が設けられており、このねじ切り部分３１は、作動部材５０のねじ切り部分５１に係合している。
【００３７】
注入デバイス１にはさらに、ロック状態と非ロック状態との間で切替え可能なロック部材８０が設けられている。このロック部材８０がロック状態にある時（図１Ｂに図示）、ロック部材８０は、例えば作動部材５０と相互作用する部分８１を有することによって、作動部材５０の中心軸線を中心とした回転を防止する。一方、ロック部材８０が非ロック状態にある時には、作動部材５０は、中心軸線を中心に自由に回転することができる。投与量設定部材２０は、歯列結合２５／７５を介してハウジング７０に固定されている。歯列結合２５／７５によって、投与量設定部材２０及びハウジング７０を互いに相対回転可能に動かすことができる。しかし、コイルばね６０が、投与量設定部材２０に軸線方向の力を提供し、歯列２５を歯列７５の方に向かってハウジング７０内部に押し付け、これにより、投与量設定部材２０は任意の設定位置に留まる。
【００３８】
注入デバイス１は、好ましくは以下のように操作される。投与量を設定する時には、ロック部材８０をそのロック状態に切り替える。大抵の場合ロック状態は、ロック部材８０の初期位置である。続いて使用者は、投与量設定部材２０の突起部分２１を回すことによって、投与量設定部材２０を中心軸線を中心として回転させる。投与量設定部材２０と円筒状投与量表示部３０との間のキー３２／キー溝２２結合によって、円筒状投与量表示部３０も、中心軸線を中心として回転せしめられる。円筒状投与量表示部３０のねじ切り部分３１は作動部材５０のねじ切り部分５１に係合しているので、この回転により、円筒状投与量表示部３０は、中心軸線に対して平行な方向に、投与量設定部材２０の突起部分２１に向かって押しやられる。よって、円筒状投与量表示部３０は、投与量設定部材２０と円筒状投与量表示部３０との間のキー３２／キー溝２２結合に沿って摺動して移動する。この移動によって、コイルばね６０が圧縮され、これにより、ばね６０にエネルギーが保存される。よって、投与量設定部材２０の外方への移動がないことを含め、注入デバイス１の外観を何ら変えることなく投与量が設定される。
【００３９】
円筒状投与量表示部３０には、一群の数字（図示せず）が付けられている。円筒状投与量表示部３０が投与量設定部材２０の突起部分２１の方に向かって移動する際、これらの数字は、作動部材５０に設けられている窓５２を通して逐次的に見ることができ、これにより、設定された投与量が表示される。注入デバイス１の使用者が円筒状投与量表示部３０上の数字を見られるように、ハウジング７０には、作動部材５０に設けられた窓５２と位置整合しているベルト状の窓が設けられている。
【００４０】
所望の投与量を設定したら、投与量設定部材２０の突起部分２１の反対側に位置する注射針（図示せず）を使用者の皮膚に挿入する。次に、ロック部材８０を非ロック状態に切り替え、これにより、作動部材５０が中心軸線を中心として回転できるようにする。圧縮されたコイルばね６０に保存されたエネルギーによって、円筒状投与量表示部３０が、軸線方向にその初期位置に向かって、つまり投与量設定部材２０の突起部分２１から離れる方向に押しやられる。作動部材５０のねじ切り部分５１及び筒状投与量表示部３０のねじ切り部分３１によって、作動部材５０は、中心軸線を中心として回転せしめられる。作動部材５０及びそのねじ山５３が回転すると、ハウジング７０とピストンロッド４０との間のキー結合１４があるので、キーが設けられているピストンロッド４０は、カートリッジ２内を前進する。ピストンロッド４０の、突起部分２１から離れる方向への軸線方向の移動により、設定された所望の投与量が注入デバイス１から吐出される。
【００４１】
あるいは作動部材５０が、ピストンロッド４０とのキー／キー溝結合をさらに備え、ハウジング７０とピストンロッド４０とのキー／キー溝結合１４を、ねじ山で置き換えてもよい。この場合、ロック部材がその非ロック状態に切り替えられると、ピストンロッド４０は中心軸線を中心として回転する。この回転運動によって、ピストンロッドは、中心軸線に平行な方向で投与量設定部材２０の突起部分２１から離れる方向にねじ回される。この運動によって、注入デバイス１から投与量が吐出される。
【００４２】
投与量が吐出された後には、注入デバイス１の様々な部品は、投与量が吐出されたことによってピストンロッド４０が投与量設定部材２０の突起部分２１から離れる方向に移動したこと並びに作動部材５０の角度位置がハウジング７０に対して相対的に変化したことを除き、それらの初期位置に再び戻っている。よってこの時、注入デバイス１は新たな投与量を設定するための準備ができている。
【００４３】
さらに、内容量の終了を示す機構を、図２〜４に関連させて説明する。
図２に、長手方向の隆起部分２３を有する投与量設定部材２０を開示する。この隆起部分２３は、内部表面でキー溝２２を形成している。このようなキー溝２２を１つ以上設けることができる。
【００４４】
図３に、内表面に設けられた内部トラック９１及び外表面に設けられたねじ山９２を有するナット部材９０を開示する。ねじ山９２が及ぶのは外表面の３６０度未満であってよく、これにより、外表面のねじ山のない部分９３が残される。
【００４５】
図４に、開口部７１と内表面に設けられている内ねじ山７２とを有するハウジング７０の一部を開示する。
ナット部材９０は、図１に開示したように、投与量設定部材２０とハウジング７０との間を仲立ちしており、内部トラック９１は隆起部分２３と、ねじ山９２はハウジング７０の内ねじ山７２と係合している。
【００４６】
投与量設定部材２０を回転させることによって投与量を設定する時には、ナット部材９０は回転し、設定される投与量に相当する長さだけ内ねじ山７２に沿って上昇する。
ばね６０を開放することによって設定された投与量を注入する時には、投与量設定部材２０が動かされないので、ナット部材９０はその位置に留まる。よって、ナット部材９０の内ねじ山７２における位置は、常時、設定された投与量の合計を表すものとなる。
【００４７】
内ねじ山７２は、ピストンロッド４０がリザーバ２を空にするために動かなくてはならない長さに相当する長さを有し、リザーバが空になった時には、ねじ山９２上のストッパ９４が内ねじ山７２上の端部壁７４に係合するようになっており、これにより、投与量の設定動作を固定化し、使用者が回すことによりリザーバの残りの内容量よりも大きく投与量を増加させてしまうことを防止する。
この端部位置では、ナット部材９０を透明領域７１から見ることができ、これにより、リザーバが空になったことが使用者に知らされるようになっている。
【００４８】
以上、いくつかの好ましい態様を記載したが、本発明はこれらの態様に限定されることはなく、添付の特許請求の範囲で規定される対象の範囲内の他の手法で実施することができることを強調しておく。
【図面の簡単な説明】
【００４９】
【図１Ａ】注入デバイスの部分的な断面図を示す。
【図１Ｂ】注入デバイスの部分的な断面図を示す。
【図２】投与量設定部材の斜視図を示す。
【図３】ナット部材の斜視図を示す。
【図４】ハウジングの部分的な斜視図を示す。
【図１Ａ】
2008541907.tif 000003
【図１Ｂ】
2008541907.tif 000004
【図２】
2008541907.tif 000005
【図３】
2008541907.tif 000006
【図４】
2008541907.tif 000007
【国際調査報告】
2008541907.tif 000008
2008541907.tif 000009
2008541907.tif 000010